(57)【要約】【課題】撮影中に輝度変化があってもレリーズタイミングによらず適正な露出を得る。【解決手段】被写体の輝度を繰り返し測光する測光手段と、測光手段の測光結果に基づいて輝度変化の周期性を検出する輝度変化検出手段と、輝度変化判別手段により検出された輝度変化の周期性に応じて測光期間を設定し、測光期間内の測光手段による複数回の測光結果の平均値に基づいて露出演算を行い、露出を決定する露出決定手段と、露出決定手段により決定された露出で被写体の像を撮影する撮影手段とを備える。【選択図】図４
2012019439.tif 000002
【特許請求の範囲】
【請求項１】
被写体の輝度を繰り返し測光する測光手段と、
前記測光手段の測光結果に基づいて輝度変化の周期性を検出する輝度変化検出手段と、
前記輝度変化判別手段により検出された輝度変化の周期性に応じて測光期間を設定し、前記測光期間内の前記測光手段による複数回の測光結果の平均値に基づいて露出演算を行い、露出を決定する露出決定手段と、
前記露出決定手段により決定された露出で前記被写体の像を撮影する撮影手段とを備えることを特徴とするカメラ。
【請求項２】
請求項１に記載のカメラにおいて、
前記露出決定手段は、前記輝度変化検出手段で輝度変化の周期性が検出されない場合には、使用者により予め設定された秒時、またはシャッター秒時に応じて設定された秒時を前記測光期間とすることを特徴とするカメラ。
【請求項３】
請求項２に記載のカメラにおいて、
前記撮影手段は、前記測光期間内の前記測光手段による複数回の測光結果の平均値を含むタイミングで露出を開始し、前記露出決定手段により決定された露出で前記被写体の像を撮影することを特徴とするカメラ。
【請求項４】
請求項１〜請求項３のいずれか一項に記載のカメラにおいて、
カメラの姿勢を検出する姿勢検出手段を備え、
前記露出決定手段は、前記姿勢検出手段により所定量以上の姿勢変化が検出された場合には、レリーズ直前の前記測光手段による測光結果に基づいて露出を決定することを特徴とするカメラ。
【発明の詳細な説明】
【技術分野】
【０００１】
本発明はカメラに関する。
【背景技術】
【０００２】
測光結果の被写体輝度が所定レベル以下であれば長時間露光モードに自動的に切り換えるようにしたカメラが知られている。
【先行技術文献】
【特許文献】
【０００３】
【特許文献１】特開平０５−０５３１６８号公報
【発明の概要】
【発明が解決しようとする課題】
【０００４】
しかしながら、上述した従来のカメラでは、撮影中に輝度変化が起きるような場合に、レリーズするタイミングによって露出が変化し、適正な露出を得られないという問題がある。
【課題を解決するための手段】
【０００５】
(１)  請求項１の発明によれば、被写体の輝度を繰り返し測光する測光手段と、測光手段の測光結果に基づいて輝度変化の周期性を検出する輝度変化検出手段と、輝度変化判別手段により検出された輝度変化の周期性に応じて測光期間を設定し、測光期間内の測光手段による複数回の測光結果の平均値に基づいて露出演算を行い、露出を決定する露出決定手段と、露出決定手段により決定された露出で被写体の像を撮影する撮影手段とを備える。
(２)  請求項２の発明は、請求項１に記載のカメラにおいて、露出決定手段は、輝度変化検出手段で輝度変化の周期性が検出されない場合には、使用者により予め設定された秒時、またはシャッター秒時に応じて設定された秒時を測光期間とする。
(３)  請求項３の発明は、請求項２に記載のカメラにおいて、撮影手段は、測光期間内の測光手段による複数回の測光結果の平均値を含むタイミングで露出を開始し、露出決定手段により決定された露出で被写体の像を撮影する。
(４)  請求項４の発明は、請求項１〜請求項３のいずれか一項に記載のカメラにおいて、カメラの姿勢を検出する姿勢検出手段を備え、露出決定手段は、姿勢検出手段により所定量以上の姿勢変化が検出された場合には、レリーズ直前の測光手段による測光結果に基づいて露出を決定する。
【発明の効果】
【０００６】
本発明によれば、撮影中に輝度変化があってもレリーズタイミングによらず適正な露出が得られる。
【図面の簡単な説明】
【０００７】
【図１】一実施の形態の一眼レフデジタルカメラの横断面図
【図２】一実施の形態のカメラの電気的な構成を示す図
【図３】夜景などで光源の輝度が変化するシーンを示す図
【図４】図３に示すシーンを撮影する場合の測光期間を示す図
【図５】渓谷の中で沢の流れを長めの露出で表現するシーンを示す図
【図６】図５に示すシーンを撮影する場合の測光期間を示す図
【図７】水面を背景にして反逆光でポートレート撮影を行うシーンを示す図
【図８】図７に示すシーンを撮影する場合の測光期間を示す図
【図９】一実施の形態のカメラの撮影動作を示すフローチャート
【図１０】図９に続く一実施の形態のカメラの撮影動作を示すフローチャート
【発明を実施するための形態】
【０００８】
本発明を一眼レフデジタルカメラに適用した一実施の形態を説明する。なお、本発明は一眼レフデジタルカメラに限定されず、コンパクトデジタルカメラや、一眼レフフィルムカメラ、コンパクトフィルムカメラなどにも適用することができる。
【０００９】
図１は一実施の形態の一眼レフデジタルカメラ１の横断面図である。カメラ１は、カメラボディ２に交換可能なレンズ鏡筒３が装着されている。非撮影時には、メインミラー４およびサブミラー５が図示のように撮影光路中に設定される。撮影レンズ６を透過した被写体光束の一部はメインミラー４の中央半透過部を通り、サブミラー５に反射されて測距センサー７へ導かれる。測距センサー７は撮影レンズ６の焦点調節状態を検出し、検出結果の焦点調節状態に基づいてＡＦ(Auto Focus)駆動用モーター８が駆動され、撮影レンズ６の焦点調節が行われる。
【００１０】
撮影レンズ６を透過した被写体光束の他の一部はメインミラー４で反射され、ペンタプリズム９を介して接眼レンズ１０と測光センサー１１へ導かれる。このファインダー光路中にはファインダー表示ユニット１２が設けられており、シャッター速度や絞り値などの撮影に関する情報が表示される。絞り制御レバー１３はレンズ鏡筒３内に設けられた絞り１４を駆動制御する。また、姿勢センサー１５およびジャイロ１６は手ブレ補正用および電子水準器用に用いられる。
【００１１】
撮影時には、メインミラー５およびサブミラー５が撮影光路から退避されて図示の破線位置に設定され、撮影レンズ６を透過した被写体からの光束がシャッターユニット１７を介して撮像素子１８へ導かれる。撮像素子１８は撮影レンズ６により結像された被写体像を電気信号に変換する。なお、フィルムカメラの場合には撮像素子１８の代わりに撮影フィルムが設置される。また、測光センサー１１の代わりに撮像素子１８により被写体輝度の測定を行うようにしてもよい。
【００１２】
図２はカメラ１の電気的な構成を示す図である。カメラＣＰＵ２０はマイクロコンピューターとメモリ、Ａ／Ｄコンバーター、駆動回路などの周辺部品(不図示)から構成され、シャッターボタン２１、操作部２２、姿勢センサー１５、ジャイロ１６、測距センサー７などからの操作信号および検出信号に基づいてカメラ１の各種演算および制御を行い、シーケンス制御部２４を介してファインダー表示ユニット１２、外部ＬＣＤ２３、シャッターユニット１７、メインミラー４、サブミラー５、絞り制御レバー１３などを駆動制御するとともに、ＡＦ駆動用モーター８を駆動制御して撮影レンズ６の焦点調節を行う。なお、カメラＣＰＵ２０を含むカメラ１の電気部品にはバッテリー２５から電源が供給される。
【００１３】
上述したように、従来のカメラでは撮影中に輝度変化が起きるとレリーズするタイミングによって露出が変化し、適正な露出を得られないという問題がある。このような場合に、ＡＥ(Automatic Exposure)撮影を中止してマニュアル撮影を行うことにより適正露出を得ることもできるが、撮影者が輝度変化の最大と最小を見極めて露出値を設定しなければならず、手間がかかる。しかも輝度変化が予め把握できることが条件であり、不規則な輝度変化や瞬間的な輝度変化がある場合には対応できない。たとえ撮影者が輝度変化を予測できたとしても、それを加味したＡＥ撮影は困難である。また、ＡＥロックを行う撮影手法もあるが、マニュアル撮影と同様に経験やテクニックを要することになる。
【００１４】
この一実施の形態では、従来のカメラで行われていたレリーズ直前の測光時間に測光を行い、その測光値に基づいて露出演算を行って露出値を決定する通常測光モードとは別に、レリーズ前に測光期間を設定し、測光期間内に複数回測光を行って平均値を求め、その平均測光値に基づいて露出演算を行って露出値を決定するＬＴ測光モードを有する。ＬＴ測光モードの測光期間は、予め撮影者が設定した秒時、あるいはシャッター秒時に連動して設定した秒時である。
【００１５】
ここで、撮影中に輝度変化が発生して適正露出を得ることが困難なシーンを例に挙げ、一実施の形態のカメラ１の測光動作を説明する。図３は、夜景などで光源の輝度が変化するシーンで長秒時の露出を行う場合を示す。このシーンでは回転灯が光源となっており、互いに反対方向を照射するランプＡとランプＢが１秒で１回転すると仮定する。例えば、絞り優先ＡＥの露出モードとマルチパターンまたは中央重点の測光エリアモードが設定された場合に、ランプＡによる照射時にはＦ５．６、４秒の露出値となり、ランプＢによる照射時にはＦ５．６、１秒の露出値となって、図４に示すようにランプＡとランプＢの回転周期に応じて被写体の輝度が大きく変化する。
【００１６】
このようなシーンでは、回転する光源がどの向きのときにレリーズを開始したか、つまり輝度変化のどの段階でレリーズするかによって、測光および露出に大きな差が生じる。通常測光モードでは、図４に示すように、レリーズ直前の測光時間における測光結果に基づいて露出演算を行って露出値を決定するため、レリーズのタイミングによって測光値が異なり、したがって露出演算結果の露出値に大きなバラツキが生じる。夜景には点滅を繰り返す電飾や、色や明るさ、あるいは照射方向が変化するシーンがあり、レリーズのタイミングによって露出が不安定になり、適正露出を得ることが難しい。
【００１７】
この一実施の形態では、夜景のように輝度が変化するシーンを撮影する場合には、ＬＴ測光モードにおいてレリーズ前に測光期間を設定し、測光期間内に複数回測光を行って平均値を求め、その平均測光値に基づいて露出演算を行う。図４に示す例では、ＬＴ測光モードの測光期間を被写体の輝度周期よりも長い時間に設定し、長い測光期間内において所定の時間間隔で複数回の測光を行い、それらの測光結果の平均値に基づいて露出演算を行う。
【００１８】
図３に示すように回転灯の回転周期が一定で輝度変化の周期に規則性がある場合には、測光結果に基づいて周期性を検出し、図４に示すように１周期をカバーするシャッター秒時を決定する。しかし、ＥＶ値、絞りおよび感度の設定値によっては１周期をカバーできるシャッター秒時を選択できない場合がある。このような場合には、図４に示すように、レリーズ後に直ちに露出を開始せずに露出開始タイミングを遅延させ、測光結果の輝度平均値になるタイミングで露出を開始する。
【００１９】
ＬＴ測光モードで露出を決定することによって、回転灯のランプＡの照射時にレリーズしてもランプＢの照射時にレリーズしても、同じ露出値でＡＥ撮影を実行でき、適正露出の被写体像が得られる。
【００２０】
撮影中に輝度変化が発生して適正露出を得ることが困難なシーンの例として、図５に示すように、渓谷の中で沢の流れを長めの露出で表現するシーンがある。このようなシーンでは、覆い被さる木々の葉っぱが風で煽られ、差し込む太陽光が変化して沢の明るさが不規則に変化するため、レリーズするタイミングによっては測光値が異なり、同じシーンでありながら露出が安定せず、適正露出の写真を撮ることが難しい。例えば、シャッター速度優先ＡＥの露出モードとマルチパターンまたは中央重点の測光エリアモードが設定された場合に、光が差し込んだときにはＦ１６、２秒の露出値となり、影になったときにはＦ８、２秒の露出値となって、図６に示すように被写体の輝度が不規則に大きく変化する。
【００２１】
このようなシーンでは、太陽光が差し込んだときと影になったときとで大きな輝度変化が不規則に生じ、どのタイミングでレリーズするかによって測光および露出に大きな差が生じる。通常測光モードでは、図６に示すように、レリーズ直前の測光時間における測光結果に基づいて露出演算を行って露出値を決定するため、レリーズのタイミングによって測光値が異なり、したがって露出演算結果の露出値に大きなバラツキが生じる。
【００２２】
この一実施の形態では、ＬＴ測光モードにおいてレリーズ前に測光期間を設定し、測光期間内に複数回測光を行って平均値を求め、その平均測光値に基づいて露出演算を行う。図６に示す例では、ＬＴ測光モードの測光期間を通常測光モードの測光時間よりも長い時間に設定し、長い測光期間内において所定の時間間隔で複数回の測光を行い、それらの測光結果の平均値に基づいて露出演算を行う。この結果、レリーズタイミングに関わらず露出が安定する。
【００２３】
撮影中に輝度変化が発生して適正露出を得ることが困難なシーンの例として、図７に示すように、水面を背景にして反逆光でポートレート撮影を行う場合、キラキラ光る太陽光の反射が不規則に変化するため、レリーズするタイミングによっては測光値が異なり、同じシーンでありながら露出が安定せず、適正露出の写真を撮ることが難しい。例えば、プログラムＡＥの露出モードとマルチパターンまたは中央重点の測光エリアモードが設定された場合に、反射光が安定しているときはＦ５．６、１／５００秒の露出値となり、大きな水面反射光が発生したときはＦ８、１／１０００秒の露出値となって、図８に示すように被写体の輝度が不規則に大きく変化する。
【００２４】
このようなシーンでは水面反射の度合いで測光値が変化するため、図８に示すように、通常測光モードでは、レリーズ直前に大きな反射光があると、その輝度値に引っ張られて人物が露出アンダーになってしまう。この一実施の形態では、ＬＴ測光モードにおいてレリーズ前に測光期間を設定し、測光期間内に複数回測光を行って平均値を求め、その平均測光値に基づいて露出演算を行う。図８に示す例では、ＬＴ測光モードの測光期間を通常測光モードの測光時間よりも長い時間に設定し、長い測光期間内において所定の時間間隔で複数回の測光を行い、それらの測光結果の平均値に基づいて露出演算を行う。この結果、レリーズ直前に高輝度の反射光があっても、その影響を軽微に抑制することができ、タイミングに関わらず露出が安定する。
【００２５】
撮影中に輝度変化が発生して適正露出を得ることが困難なシーンには、上述したシーン以外にも多くのシーンがあり、そのようなシーンにおいてＬＴ測光モードにより露出を決定することによって、レリーズタイミングによらず適正露出が得られる。
【００２６】
ＬＴ測光モードにおける測光期間は、撮影者が例えば０．５〜３０秒の間で任意に設定した秒時とするか、あるいはシャッター秒時に応じてカメラＣＰＵ２０が自動的に設定する。後者の場合、プログラムＡＥまたは絞り優先ＡＥが選択された場合には、カメラＣＰＵ２０による露出演算結果のシャッター秒時に応じて測光期間を設定し、シャッター優先ＡＥが選択された場合には、撮影者が設定したシャッター秒時に応じて測光期間を設定する。つまり、シャッター秒時＋０．５秒、シャッター秒時＋１秒、シャッター秒時＋２秒などを測光期間とする。最小の測光期間をシャッター秒時＋０．５秒とするのは、測光期間が高速のシャッター秒時の場合に通常測光モードの測光時間よりも短くなるのを避けるためである。
【００２７】
カメラ１は、上述した通常測光モードとＬＴ測光モードの他に、通常測光モードとＬＴ測光モードの中からいずれかを自動的に選択する自動選択モードと、ＬＴ測光モード選択時に所定の操作があると通常測光モードに強制的に切り換える比較選択モードを有する。
【００２８】
前者の自動選択モードは、カメラ１の姿勢変化に基づいてカメラＣＰＵ２０が通常測光モードとＬＴ測光モードの内のいずれか適切なモードを選択する。姿勢センサー１５またはジャイロ１６によりカメラ１の姿勢変化を検出し、姿勢変化が小さい場合はＬＴ測光モードを選択し、姿勢変化が大きい場合は通常測光モードを選択する。また、後者の比較選択モードは、レリーズ前に撮影者が通常測光モードの露出値とＬＴ測光モードの露出値とを比較していずれかの測光モードを選択するためのモードである。ＬＴ測光モードが設定されているときに、操作部２２のファンクションボタンが操作されると通常測光モードに切り換わり、ファンクションボタンを押したままレリーズすれば、通常測光モードによる露出値で撮影が行われる。
【００２９】
図９および図１０は、一実施の形態のカメラ１の撮影動作を示すフローチャートである。これらのフローチャートにより、一実施の形態の動作を説明する。カメラＣＰＵ２０は、カメラ１の電源が投入されると図９および図１０に示す撮影動作を繰り返し実行する。なお、カメラＣＰＵ２０は撮影動作を開始後、測光センサー１１により繰り返し測光を行って被写体の輝度を検出する。ステップ１において、操作部２２の測光モード選択スイッチによる測光モード選択情報を入力する。測光モード選択スイッチによって上述した通常測光モード、ＬＴ測光モードおよび自動選択モードのいずれかの測光モードを選択することができる。
【００３０】
まず、通常測光モードが選択されている場合はステップ２へ進み、レリーズ直前の測光時間における測光結果に基づいて露出演算を行って露出値を決定する通常測光モードを実行する。ステップ３でシャッターボタン２１の半押しがあると、測距センサー７により撮影レンズ６の焦点調節状態を検出し、ＡＦ駆動用モーター８により撮影レンズ６の焦点調節を行うとともに、直前の測光時間の測光結果に基づいて露出演算を行い、露出値を決定してファインダー表示ユニット１２と外部ＬＣＤ２３に表示する。ステップ５でシャッターボタン２１の全押しがあるとステップ６へ進み、決定された露出値にしたがってシャッターユニット１７と絞り制御レバー１３を制御し、撮像素子１８により撮影を行う。
【００３１】
次に、ＬＴモードが選択されている場合はステップ１１へ進み、レリーズ前の測光期間内に複数回測光を行って平均値を求め、その平均測光値に基づいて露出演算を行って露出を決定するＬＴ測光モードを実行する。ステップ１２でモード切換割り込みを許可する。このモード切換割り込みはＬＴ測光モードの実行を中断して比較選択モードを開始するための割り込みであり、詳細を後述する。ステップ１３でシャッターボタン２１の半押しがあると、測距センサー７により撮影レンズ６の焦点調節状態を検出し、ＡＦ駆動用モーター８により撮影レンズ６の焦点調節を行う。
【００３２】
図１０のステップ１４において、操作部２２の露出モードスイッチにより設定されている露出モードを確認する。露出モードスイッチによりプログラムＡＥ、絞り優先ＡＥ、シャッター優先ＡＥおよびマニュアルのいずれかの露出モードを選択することができる。なお、撮影中に輝度が変化して適正露出を得ることが困難なシーンを撮影する際に、マニュアル露出モードが選択された場合には、撮影者が輝度変化の最大と最小を見極めて露出値を設定し、設定した露出値にしたがって通常の撮影を行う。したがって、ここではマニュアル露出モードにおける撮影動作についての説明を省略する。
【００３３】
露出モードがプログラムＡＥまたは絞り優先ＡＥの場合はステップ１５へ進み、これまでの測光結果から被写体輝度の変化に周期性があるか否かを判別する。周期性がある場合はステップ１６へ進み、シャッター秒時の調整で輝度変化の周期と同期可能か否かを判別する。そして、同期可能な場合はステップ１７へ進み、輝度変化の１周期（またはｎ周期（ここでｎは整数））がシャッター秒時内に収まるようなシャッター秒時を決定する。続くステップ１８では、決定したシャッター秒時と測光期間（撮影者が予め設定した秒時またはシャッター秒時に応じて自動的に設定された秒時）内の平均測光値に基づいて露出値を決定し、ファインダー表示ユニット１２と外部ＬＣＤ２３に表示する。ステップ１９でシャッターボタン２１の全押しがあるとステップ２０へ進み、決定された露出値にしたがってシャッターユニット１７と絞り制御レバー１３を制御し、撮像素子１８により撮影を行う。
【００３４】
一方、ステップ１６で秒時調整で輝度変化周期と同期不可能と判別された場合にはステップ２１へ進み、測光期間（撮影者が予め設定した秒時またはシャッター秒時に応じて自動的に設定された秒時）内の平均測光値に基づいて露出値を決定し、ファインダー表示ユニット１２と外部ＬＣＤ２３に表示する。ステップ２２でシャッターボタン２１の全押しがあるとステップ２３へ進み、平均輝度（平均測光値）を含むタイミングで露出を開始するようにレリーズタイミングを遅延制御し、ステップ２０で決定された露出値にしたがってシャッターユニット１７と絞り制御レバー１３を制御し、撮像素子１８により撮影を行う。
【００３５】
ステップ１５で輝度変化に周期性がないと判別された場合、またはステップ１４で露出モードがシャッター優先ＡＥであると判別された場合にはステップ２４へ進み、測光期間（撮影者が予め設定した秒時またはシャッター秒時に応じて自動的に設定された秒時）内の平均測光値に基づいて露出値を決定し、ファインダー表示ユニット１２と外部ＬＣＤ２３に表示する。ステップ２５でシャッターボタン２１の全押しがあるとステップ２０へ進み、決定された露出値にしたがってシャッターユニット１７と絞り制御レバー１３を制御し、撮像素子１８により撮影を行う。
【００３６】
測光モードとして自動選択モードが選択されている場合にはステップ３１へ進み、通常測光モードとＬＴ測光モードの中からいずれかを自動的に選択する自動選択モードを実行する。ステップ３２でシャッターボタン２１の半押しがあるとステップ３３へ進み、姿勢センサー１５またはジャイロ１６により検出されたカメラ１の姿勢変化量が所定値よりも大きいか否かを判別する。姿勢変化が大きい場合はステップ４へ進み、上述した通常測光モードにより露出を決定して撮影を行う。一方、カメラ１の姿勢変化が小さい場合はステップ１４へ進み、上述したＬＴ測光モードにより露出を決定して撮影を行う。
【００３７】
ＬＴ測光モードが選択され、かつモード切換割り込みが許可されているときに、ステップ４１で操作部２２のファンクションボタンが操作されると、ステップ４２へ進んでモード切換割り込みを発生させ、続くステップ４３でＬＴ測光モードから比較選択モードへ切り換える。ステップ４４でファンクションボタンが解放されたか否かを確認し、ファンクションボタンが押圧されたままであればステップ４へ進み、上述した通常測光モードで露出を決定する。つまり、直前の測光時間の測光結果に基づいて露出演算を行い、露出値を決定してファインダー表示ユニット１２と外部ＬＣＤ２３に表示する。ステップ５でファンクションボタンが押圧されたままシャッターボタン２１の全押しがあるとステップ６へ進み、通常測光モードで決定された露出値にしたがってシャッターユニット１７と絞り制御レバー１３を制御し、撮像素子１８により撮影を行う。
【００３８】
上述した実施の形態とその変形例によれば以下のような作用効果を奏することができる。まず、被写体の輝度を繰り返し測光し、測光結果に基づいて輝度変化の周期性を検出する。そして、輝度変化の周期性に応じて測光期間を設定し、この測光期間内の複数回の測光結果の平均値に基づいて露出演算を行って露出を決定し、決定された露出で被写体の像を撮影するようにしたので、撮影中に輝度変化があってもレリーズタイミングに関わらず適正な露出で撮影を行うことができる。
【００３９】
また、一実施の形態とその変形例によれば、輝度変化の周期性が検出されない場合に、使用者により予め設定された秒時、またはシャッター秒時に応じて設定された秒時を測光期間とし、この測光期間内の複数回の測光結果の平均値に基づいて露出演算を行って露出を決定し、決定された露出で被写体の像を撮影するようにしたので、撮影中に不規則な輝度変化があってもレリーズタイミングに関わらず適正な露出で撮影を行うことができる。
【００４０】
さらに、一実施の形態とその変形例によれば、輝度変化の周期性が検出されない場合に、使用者により予め設定された秒時、またはシャッター秒時に応じて設定された秒時を測光期間とし、この測光期間内の複数回の測光結果の平均値に基づいて露出演算を行って露出を決定するとともに、測光期間内の複数回の測光結果の平均値を含むタイミングで露出を開始し、決定された露出で被写体の像を撮影するようにしたので、撮影中に不規則な輝度変化があってもレリーズタイミングに関わらずさらに適正な露出で撮影を行うことができる。
【００４１】
一実施の形態とその変形例によれば、カメラの姿勢を検出し、所定量以上の姿勢変化が検出された場合には、レリーズ直前の測光結果に基づいて露出を決定するようにしたので、移動する被写体を追尾して撮影を行うような場合には、適正露出よりもシャッター優先の撮影を行うことができる。
【符号の説明】
【００４２】
１１；測光センサー、１３；絞り制御レバー、１５；姿勢センサー、１６；ジャイロ、１７；シャッターユニット、１８；撮像素子、２０；カメラＣＰＵ
【図１】
2012019439.tif 000003
【図２】
2012019439.tif 000004
【図３】
2012019439.tif 000005
【図４】
2012019439.tif 000006
【図５】
2012019439.tif 000007
【図６】
2012019439.tif 000008
【図７】
2012019439.tif 000009
【図８】
2012019439.tif 000010
【図９】
2012019439.tif 000011
【図１０】
2012019439.tif 000012